(57)【要約】 【課題】接続処理の競合を発生させずに、複数の無線端末の各々と無線基地局とを自動的に接続する。【解決手段】本発明に係る通信システムは、無線基地局と、複数の無線端末とを含む。無線基地局は、信号送受信手段と接続順序制御手段とを備える。信号送受信手段は各無線端末との間でデータの送受信を行う。接続順序制御手段は、無線端末を識別する複数の端末識別情報ごとに、接続の順番を示す情報を対応付けた接続順序情報に従って、接続対象の無線端末の端末識別情報を含む報知信号を各無線端末へ一斉に送信する制御を行う。各無線端末は、信号送受信手段と第１接続制御手段とを備える。信号送受信手段は無線基地局との間でデータの送受信を行う。第１接続制御手段は、無線基地局から受信した報知信号に含まれる端末識別情報が、自装置を識別する端末識別情報と一致する場合、無線基地局と接続するための処理を実行する。【選択図】図１
2015106727.tif 000002
【特許請求の範囲】
【請求項１】
無線基地局と、複数の無線端末とを含む通信システムであって、
前記無線基地局は、
各前記無線端末との間でデータの送受信を行う信号送受信手段と、
前記無線端末を識別する複数の端末識別情報ごとに、当該端末識別情報で識別される前記無線端末の接続の順番を示す情報を対応付けた接続順序情報に従って、接続対象の前記無線端末の前記端末識別情報を含む報知信号を、各前記無線端末へ一斉に送信する制御を行う接続順序制御手段と、を備え、
各前記無線端末は、
前記無線基地局との間でデータの送受信を行う信号送受信手段と、
前記無線基地局から受信した前記報知信号に含まれる前記端末識別情報が、自装置を識別する前記端末識別情報と一致する場合、前記無線基地局と接続するための処理を実行する第１接続制御手段と、を備える、
通信システム。
【請求項２】
前記第１接続制御手段は、前記無線基地局から受信した前記報知信号に含まれる前記端末識別情報が、自装置を識別する前記端末識別情報と一致しない場合は、前記無線基地局と接続するための処理を実行しない、
請求項１に記載の通信システム。
【請求項３】
前記第１接続制御手段は、前記無線基地局から受信した前記報知信号に含まれる前記端末識別情報が、自装置を識別する前記端末識別情報と一致する場合、自装置を識別する前記端末識別情報と、自装置が設定しているネットワーク識別子とを含むプローブ要求を前記無線基地局へ送信する制御を行い、
前記無線基地局は、
前記無線端末から受信した前記プローブ要求に含まれる前記端末識別情報と、直前に送信した前記報知信号に含まれる前記端末識別情報とが一致し、かつ、前記プローブ要求に含まれる前記ネットワーク識別子と、前記無線基地局が設定している前記ネットワーク識別子とが一致している場合は、前記プローブ要求に対する応答を示すプローブ応答を前記無線端末へ送信する制御を行う第２接続制御手段を備える、
請求項１または請求項２に記載の通信システム。
【請求項４】
前記第２接続制御手段は、前記プローブ応答を送信した前記無線端末に対して、接続設定情報を送信する制御を行う、
請求項３に記載の通信システム。
【請求項５】
前記無線端末は、
前記無線基地局から前記接続設定情報を受信した場合、前記無線基地局との無線接続処理を実行する第３接続制御手段を備える、
請求項４に記載の通信システム。
【請求項６】
前記第２接続制御手段は、ＷＰＳ（Ｗｉ−Ｆｉ  Ｐｒｏｔｅｃｔｅｄ  Ｓｅｔｕｐ）に従って、前記接続設定情報を送信する制御を行う、
請求項４に記載の通信システム。
【請求項７】
前記第３接続制御手段は、ＩＥＥＥ８０２．１１規格に従って、前記無線接続処理を実行する、
請求項５に記載の通信システム。
【請求項８】
入力に応じて、前記接続順序情報を可変に設定する設定手段をさらに備える、
請求項１乃至７のうちの何れか１項に記載の通信システム。
【発明の詳細な説明】
【技術分野】
【０００１】
本発明は、通信システムに関する。
【背景技術】
【０００２】
無線ＬＡＮ  Ｉ／Ｆを備えた無線端末（クライアント）機器は、無線基地局（アクセスポイント）とインフラストラクチャ接続し、ＬＡＮに参加できる。無線基地局に接続する方法としては、ＳＳＩＤ、パスワードを手動入力するほか、簡単接続機能としてＷｉ−Ｆｉ  Ａｌｌｉａｎｃｅが定めるＷＰＳ（Ｗｉ−Ｆｉ  Ｐｒｏｔｅｃｔｅｄ  Ｓｅｔｕｐ）機能が業界標準として存在する。ＷＰＳでは押しボタン方式であるＰＢＣ（Ｐｕｓｈ  Ｂｕｔｔｏｎ  Ｃｏｎｆｉｇｒａｔｉｏｎ）と暗証コード入力方式であるＰＩＮ（Ｐｅｒｓｏｎａｌ  Ｉｄｅｎｔｉｆｉｃａｔｉｏｎ  Ｎｕｍｂｅｒ）により接続が可能で、どちらの方式も、１回の試行で接続する無線基地局と無線端末は１対１に限られる（同時に複数の無線端末を無線基地局に接続できない）ことが知られている。
【発明の概要】
【発明が解決しようとする課題】
【０００３】
しかしながら、従来の方式では、複数の無線端末の各々と無線基地局との接続処理が競合した場合、ＰＢＣでは全ての無線端末が接続できず（セッションオーバーラップエラー）、ＰＩＮでは最初の無線端末だけが接続できるもののその他の無線端末は接続できないため、接続できなかった無線端末の利用者は１台目が接続完了するのを待って再度ＷＰＳ機能を実行しなければならないという問題がある。
【０００４】
本発明は、上記に鑑みてなされたものであって、接続処理の競合を発生させずに、複数の無線端末の各々と無線基地局とを自動的に接続可能な通信システムを提供することを目的とする。
【課題を解決するための手段】
【０００５】
上述した課題を解決し、目的を達成するために、本発明は、無線基地局と、複数の無線端末とを含む通信システムであって、前記無線基地局は、各前記無線端末との間でデータの送受信を行う信号送受信手段と、前記無線端末を識別する複数の端末識別情報ごとに、当該端末識別情報で識別される前記無線端末の接続の順番を示す情報を対応付けた接続順序情報に従って、接続対象の前記無線端末の前記端末識別情報を含む報知信号を、各前記無線端末へ一斉に送信する制御を行う接続順序制御手段と、を備え、各前記無線端末は、前記無線基地局との間でデータの送受信を行う信号送受信手段と、前記無線基地局から受信した前記報知信号に含まれる前記端末識別情報が、自装置を識別する前記端末識別情報と一致する場合、前記無線基地局と接続するための処理を実行する第１接続制御手段と、を備える。
【発明の効果】
【０００６】
本発明によれば、接続処理の競合を発生させずに、複数の無線端末の各々と無線基地局とを自動的に接続することができる。
【図面の簡単な説明】
【０００７】
【図１】図１は、無線基地局のハードウェア構成の一例を示す図である。
【図２】図２は、無線端末のハードウェア構成の一例を示す図である。
【図３】図３は、無線基地局の機能構成の一例を示す図である。
【図４】図４は、接続順序情報の一例を示す図である。
【図５】図５は、無線端末の機能構成の一例を示す図である。
【図６】図６は、接続順序情報の設定手順の一例を示すフローチャートである。
【図７】図７は、無線基地局と複数の無線端末の各々との接続手順の一例を示すシーケンス図である。
【図８】図８は、図７の例における接続順序情報の一例を示す図である。
【図９】図９は、無線基地局の動作例を示すフローチャートである。
【図１０】図１０は、無線端末の動作例を示すフローチャートである。
【発明を実施するための形態】
【０００８】
以下、添付図面を参照しながら、本発明に係る通信システムの実施形態を詳細に説明する。
【０００９】
本実施形態の通信システムは、無線基地局１と、複数の無線端末２とを含んで構成される。図１は、無線基地局１のハードウェア構成の一例を示す図である。図１に示すように、無線基地局１は、ＣＰＵ１０１と、ＲＯＭ１０２と、無線通信装置１０３と、ＲＡＭ１０４と、入力装置１０５と、表示装置１０６とを備え、これらはバス１０７を介して相互に接続される。
【００１０】
ＣＰＵ１０１は、ＲＯＭ１０２等に格納されたプログラムをＲＡＭ１０４上に展開して実行することで、無線基地局１の動作を統括的に制御する。ＲＯＭ１０２は、不揮発性のメモリであり、ファームウェアや各種の情報（喪失させたくない情報）が記憶される。無線通信装置１０３は、無線により外部機器（例えば無線端末２）との通信を行う。ＲＡＭ１０４は、揮発性のメモリであり、動作中のファームウェアおよび一時的な情報が展開・記憶される。入力装置１０５は、ユーザが各種の入力に用いるデバイスである。表示装置１０６は、各種の情報を表示するデバイスである。
【００１１】
図２は、無線端末２のハードウェア構成の一例を示す図である。以下では、１台の無線端末２の構成や機能を例に挙げて説明するが、他の無線端末２の構成および機能も同様である。図２に示すように、無線端末２は、ＣＰＵ１１１と、ＲＯＭ１１２と、無線通信装置１１３と、ＲＡＭ１１４と、入力装置１１５と、表示装置１１６とを備え、これらはバス１１７を介して相互に接続される。
【００１２】
ＣＰＵ１１１は、ＲＯＭ１１２等に格納されたプログラムをＲＡＭ１１４上に展開して実行することで、無線端末２の動作を統括的に制御する。ＲＯＭ１１２は、不揮発性のメモリであり、ファームウェアや各種の情報（喪失させたくない情報）が記憶される。無線通信装置１１３は、無線により外部機器（例えば無線基地局１）との通信を行う。ＲＡＭ１１４は、揮発性のメモリであり、動作中のファームウェアおよび一時的な情報が展開・記憶される。入力装置１１５は、ユーザが各種の入力に用いるデバイスである。表示装置１１６は、各種の情報を表示するデバイスである。
【００１３】
次に、図３を用いて、無線基地局１が有する機能を説明する。図３は、無線基地局１の機能構成の一例を示す図である。図３に示すように、無線基地局１は、接続制御手段２０１と、信号送受信手段２０２と、簡単接続制御手段２０３と、接続順序制御手段２０４と、接続順序情報保持手段２０５と、接続順序情報入力手段２０６とを有する。
【００１４】
接続制御手段２０１は、信号送受信手段２０２を使って無線通信を行い、接続処理を実行するための制御を行う。
【００１５】
信号送受信手段２０２は、無線通信装置１０３を制御して電波の入出力を行い、外部の機器との通信を行う。
【００１６】
簡単接続制御手段２０３は、信号送受信手段２０２を使って無線通信を行い、無線端末２に接続設定情報を送信する制御を行う。この具体的な内容については後述するが、本実施形態では、簡単接続制御手段２０３は、ＷＰＳ（Ｗｉ−Ｆｉ  Ｐｒｏｔｅｃｔｅｄ  Ｓｅｔｕｐ）に従って、接続設定情報を送信する制御を行う。ＷＰＳの場合、接続設定情報としては、ＳＳＩＤ、セキュリティ種別（例えばＷＥＰ／ＷＰＡ／ＷＰＡ２など）、パスフレーズなどが挙げられる。この例では、簡単接続制御手段２０３は、請求項の「第２接続制御手段」に対応する機能を有していると考えることができる。なお、例えば簡単接続制御手段２０３は、ＷＰＳとは異なる手順（例えばベンダーの独自の手順）に従って、接続設定情報を送信する制御を行うこともできる。
【００１７】
接続順序制御手段２０４は、接続順序情報保持手段２０５に記憶された接続順序情報に従って、接続制御手段２０１を使って無線端末２を接続させる順番を制御する。図４は、接続順序情報の一例を示す図である。図４に示すように、接続順序情報は、無線端末２を識別する複数の端末識別情報ごとに、当該端末識別情報で識別される無線端末２の接続の順番を示す順番情報を対応付けた情報である。図４の例では、順番情報は、接続の順番を示す数字であるが、これに限らず、順番情報は、接続の順番を特定可能な情報であればよい。例えば順番情報として、アルファベットが用いられる形態であってもよい。また、図４の例では、端末識別情報は、通信デバイスである無線端末に対して一意に割り振られるＭＡＣアドレスであるが、これに限らず、端末識別情報は、無線端末を特定可能な情報であればよい。例えば端末識別情報として、無線端末の名称等が用いられる形態であってもよい。
【００１８】
本実施形態では、接続順序制御手段２０４は、無線端末２との接続を開始するモード（以下の説明では、「接続モード」と称する場合がある）に移行した場合、接続順序情報に従って、接続対象の無線端末２の端末識別情報を含む報知信号を、各無線端末２へ一斉に送信する制御を行う。より具体的には、接続順序制御手段２０４は、接続対象の無線端末２の端末識別情報を含む報知信号（ビーコン）を、各無線端末２へ一斉に送信するよう、接続制御手段２０１を制御する。詳細な内容については後述する。なお、ＩＥＥＥ８０２．１１規格においては、報知信号内にはＶｅｎｄｅｒ  Ｓｐｅｃｉｆｉｃ領域が設けられており、任意の情報（例えば接続対象の無線端末２の端末識別情報など）を含めることができる。
【００１９】
接続順序情報入力手段２０６は、入力装置１０５、表示装置１０６を介して、利用者（ユーザ）からの各種の入力（端末識別情報の入力、順番情報の入力）を受け付け、受け付けた入力に応じて、接続順序情報を設定（作成、編集）する機能を有する。この例では、接続順序情報保持手段２０５には、接続順序情報入力手段２０６により設定された最新の接続順序情報が保持される。この例では、接続順序情報入力手段２０６は、請求項の「設定手段」に対応する機能を有していると考えることができる。
【００２０】
本実施形態では、上述した無線基地局１の各部の機能（接続制御手段２０１、信号送受信手段２０２、簡単接続制御手段２０３、接続順序制御手段２０４、接続順序情報入力手段２０６）は、図１に示すＣＰＵ１０１がＲＯＭ１０２等に格納されたプログラムを実行することにより実現されるが、これに限らず、例えば上述した無線基地局１の各部の機能（接続制御手段２０１、信号送受信手段２０２、簡単接続制御手段２０３、接続順序制御手段２０４、接続順序情報入力手段２０６）のうちの少なくとも一部が専用のハードウェア回路（例えば半導体集積回路等）により実現される形態であってもよい。
【００２１】
無線基地局１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【００２２】
次に、図５を用いて、無線端末２が有する機能を説明する。図５に示すように、無線端末２は、接続制御手段２１１と、信号送受信手段２１２と、簡単接続制御手段２１３とを有する。
【００２３】
接続制御手段２１１は、信号送受信手段２１２を使って無線通信を行い、接続処理を実行するための制御を行う。具体的な内容については後述するが、接続制御手段２１１は、無線基地局１から接続設定情報を受信した場合、無線基地局１との無線接続処理を実行する。本実施形態では、接続制御手段２１１は、ＩＥＥＥ８０２．１１規格に従って、無線接続処理を実行する。ＩＥＥＥ８０２．１１規格では、例えばAuthentication、Association、4-way handshake、Group  key  handshakeなどが含まれる。この例では、接続制御手段２１１は、請求項の「第３接続制御手段」に対応する機能を有していると考えることができる。
【００２４】
信号送受信手段２１２は、無線通信装置１１３を制御して電波の入出力を行い、外部の機器との通信を行う。
【００２５】
簡単接続制御手段２１３は、信号送受信手段２１２を使って無線通信を行い、無線基地局１から接続設定情報を受信するための制御を行う。本実施形態では、無線基地局１との接続を開始するモード（以下の説明では、「接続モード」と称する場合がある）において、簡単接続制御手段２１３は、無線基地局１から受信した報知信号に含まれる端末識別情報が、自装置を識別する端末識別情報と一致する場合、無線基地局１と接続するための処理を実行する。一方、報知信号に含まれる端末識別情報が、自装置を識別する前記端末識別情報と一致しない場合は、無線基地局１と接続するための処理を実行しない。
【００２６】
より具体的には、簡単接続制御手段２１３は、無線基地局から受信した報知信号に含まれる端末識別情報が、自装置を識別する端末識別情報と一致する場合、自装置を識別する端末識別情報と、自装置が設定しているネットワーク識別子（例えばＳＳＩＤ）とを含むプローブ要求を無線基地局１へ送信する。この例では、簡単接続制御手段２１３は、請求項の「第１接続制御手段」に対応する機能を有していると考えることができる。
【００２７】
無線基地局１の簡単接続制御手段２０３は、無線端末２から受信したプローブ要求に含まれる端末識別情報と、直前に送信した報知信号に含まれる端末識別情報とが一致し、かつ、プローブ要求に含まれるネットワーク識別子と、無線基地局１が設定しているネットワーク識別子とが一致している場合は、プローブ要求に対する応答を示すプローブ応答を無線端末２へ送信する制御を行う。そして、簡単接続制御手段２０３は、プローブ応答を送信した無線端末２に対して、接続設定情報を送信する制御を行う。
【００２８】
本実施形態では、上述した無線端末２の各部の機能（接続制御手段２１１、信号送受信手段２１２、簡単接続制御手段２１３）は、図２に示すＣＰＵ１１１がＲＯＭ１１２等に格納されたプログラムを実行することにより実現されるが、これに限らず、例えば上述した無線端末２の各部の機能（接続制御手段２１１、信号送受信手段２１２、簡単接続制御手段２１３）のうちの少なくとも一部が専用のハードウェア回路（例えば半導体集積回路等）により実現される形態であってもよい。
【００２９】
無線端末２で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【００３０】
次に、図６を用いて、上述の接続順序情報の設定方法の一例を説明する。図６は、上述の接続順序情報の設定手順の一例を示すフローチャートである。ここでは、接続順序情報保持手段２０５に予め保持されていた接続順序情報の編集（設定の一態様）を行う場合を例に挙げて説明する。
【００３１】
例えばユーザが、表示装置１０６の画面上に表示されたボタン（接続順序情報の編集を行う編集モードに対応するボタン）を押下するなどの操作を行うことにより、編集モードの開始指示が入力される。接続順序情報入力手段２０６は、編集モードの開始指示を受け付けた場合（ステップＳ３０１：Ｙｅｓ）、上述の順番情報の入力を促す情報（例えばテキストであってもよいし、画像であってもよい）を表示装置１０６に表示する制御を行う。順番情報の入力を受け付けた場合（ステップＳ３０２：Ｙｅｓ）、接続順序情報入力手段２０６は、端末識別情報の入力を促す情報を表示装置１０６に表示する制御を行う。端末識別情報の入力を受け付けた場合（ステップＳ３０３：Ｙｅｓ）、ステップＳ３０２で受け付けた順番情報と、ステップＳ３０３で受け付けた端末識別情報とを反映させて、接続順序情報保持手段２０５に保持されていた接続順序情報を更新する（ステップＳ３０４）。次に、接続順序情報入力手段２０６は、編集モードを継続するか否かの選択を促す情報を表示装置１０６に表示する制御を行う。編集モードを継続しないことを選択する入力を受け付けた場合（ステップＳ３０５：Ｎｏ）、処理は終了する。一方、編集モードを継続することを選択する入力を受け付けた場合（ステップＳ３０５：Ｙｅｓ）、上述のステップＳ３０２以降の処理が繰り返される。
【００３２】
次に、図７を用いて、無線基地局１と複数の無線端末２の各々との接続方法の一例を説明する。説明の便宜上、通信システムは、無線基地局１と、３つの無線端末２ａ，２ｂ，２ｃとを含んで構成される場合を例に挙げて説明する。また、図８は、この場合の接続順序情報の一例を示す図である。図８の例では、「０３−７Ｂ−Ｄ３−２２−４Ｆ−８０」を示す端末識別情報は、無線端末２ａを識別する端末識別情報であり、接続の順番は第１番目であることを示す順番情報（「１」）が対応付けられている。また、「５Ａ−ＣＢ−６Ｄ−９Ｅ−４３−１７」を示す端末識別情報は、無線端末２ｃを識別する端末識別情報であり、接続順は第２番目であることを示す順番情報（「２」）が対応付けられている。さらに、「８５−Ａ７−ＢＦ−２７−ＣＥ−Ｅ３」を示す端末識別情報は、無線端末２ｂを識別する端末識別情報であり、接続順は第３番目であることを示す順番情報（「３」）が対応付けられている。
【００３３】
図７に戻って説明を続ける。図７に示すように、まずユーザは、無線基地局１、無線端末２ａ、２ｂおよび２ｃの各々を接続モードにするために、例えば装置のボタンを押下するなどのトリガーを与える（ステップＳ４０１）。トリガーを与えられた無線端末２ａ、２ｂ、２ｃは、無線基地局１から報知信号が送信されていないか、電波の待ち受けを開始する。無線基地局１、無線端末２ａ、２ｂおよび２ｃの各々に対して、接続モードに移行するためのトリガーを与えるのは、同じユーザであってもよいし、別々のユーザであってもよい。なお、各無線端末２に対して開始トリガーを与えるタイミングは同時でなくてもよく、当該無線端末２の接続順が回ってくるまでであればよい。
【００３４】
次に、無線基地局１は、図８に示す接続順序情報から、「１」を示す順番情報に対応付けられた端末識別情報（「０３−７Ｂ−Ｄ３−２２−４Ｆ−８０」）を読み出す（ステップＳ４０２）。次に、無線基地局１は、ステップＳ４０２で読み出した端末識別情報（接続の順番が第１番目の無線端末２ａに対応付けられた端末識別情報）を含む報知信号を、無線端末２ａ、２ｂおよび２ｃの各々に対して一斉に送信する（ステップＳ４０３）。
【００３５】
無線端末２ａ〜２ｃは、無線基地局１から送信された報知信号を検知し、内容を確認する（ステップＳ４０４〜ステップＳ４０６）。より具体的には、無線端末２ａ〜２ｃは、報知信号内に設けられたＶｅｎｄｅｒ  Ｓｐｅｃｉｆｉｃ領域に格納された端末識別情報を読み出し、自装置の端末識別情報と一致するかどうかを確認する。ここでは、報知信号に含まれる端末識別情報は、無線端末２ａを識別する端末識別情報と一致するので、無線端末２ａは、無線基地局１と接続するための処理を開始する。一方、報知信号に含まれる端末識別情報は、無線端末２ｂを識別する端末識別情報や無線端末２ｃを識別する端末識別情報と一致しないので、無線端末２ｂおよび無線端末２ｃは、無線基地局１と接続するための処理を実行しない（何も処理を実行しない）。
【００３６】
無線端末２ａは、無線基地局１に対してプローブ要求を送信する（ステップＳ４０７）。それに呼応して無線基地局１はプローブ応答を無線端末２ａへ送信する（ステップＳ４０８）。その後、ＷＰＳによる接続設定情報交換処理（ステップＳ４０９）、ＩＥＥＥ８０２．１１規格による無線接続処理（ステップＳ４１０）がそれぞれ行われ、無線基地局１と無線端末２ａが無線で接続される。
【００３７】
次に、無線基地局１は、図８に示す接続順序情報から、「２」を示す順番情報に対応付けられた端末識別情報（「５Ａ−ＣＢ−６Ｄ−９Ｅ−４３−１７」）を読み出す（ステップＳ４１１）。次に、無線基地局１は、ステップＳ４１１で読み出した端末識別情報（接続の順番が第２番目の無線端末２ｃに対応付けられた端末識別情報）を含む報知信号を、無線端末２ａ、２ｂおよび２ｃの各々に対して一斉に送信する（ステップＳ４１２）。
【００３８】
無線端末２ａ〜２ｃは、無線基地局１から送信された報知信号を検知し、内容を確認する（ステップＳ４１３〜ステップＳ４１５）。ここでは、報知信号に含まれる端末識別情報は、無線端末２ｃを識別する端末識別情報と一致するので、無線端末２ｃは、無線基地局１と接続するための処理を開始する。一方、報知信号に含まれる端末識別情報は、無線端末２ａを識別する端末識別情報や無線端末２ｂを識別する端末識別情報と一致しないので、無線端末２ａおよび無線端末２ｂは、無線基地局１と接続するための処理を実行しない。そして、上述のステップＳ４０７〜ステップＳ４１０と同様の処理が実行され、無線基地局１と無線端末２ｃが無線で接続される。
【００３９】
次に、無線基地局１は、図８に示す接続順序情報から、「３」を示す順番情報に対応付けられた端末識別情報（「８５−Ａ７−ＢＦ−２７−ＣＥ−Ｅ３」）を読み出す（ステップＳ４１６）。次に、無線基地局１は、ステップＳ４１６で読み出した端末識別情報（接続の順番が第３番目の無線端末２ｂに対応付けられた端末識別情報）を含む報知信号を、無線端末２ａ、２ｂおよび２ｃの各々に対して一斉に送信する（ステップＳ４１７）。
【００４０】
無線端末２ａ〜２ｃは、無線基地局１から送信された報知信号を検知し、内容を確認する（ステップＳ４１８〜ステップＳ４２０）。より具体的には、無線端末２ａ〜２ｃは、報知信号内に設けられたＶｅｎｄｅｒ  Ｓｐｅｃｉｆｉｃ領域に格納された端末識別情報を読み出し、自装置の端末識別情報と一致するかどうかを確認する。ここでは、報知信号に含まれる端末識別情報は、無線端末２ｂを識別する端末識別情報と一致するので、無線端末２ｂは、無線基地局１と接続するための処理を開始する。一方、報知信号に含まれる端末識別情報は、無線端末２ａを識別する端末識別情報や無線端末２ｃを識別する端末識別情報と一致しないので、無線端末２ａおよび無線端末２ｃは、無線基地局１と接続するための処理を実行しない（何も処理を実行しない）。そして、上述のステップＳ４０７〜ステップＳ４１０と同様の処理が実行され、無線基地局１と無線端末２ｂが無線で接続される。
【００４１】
図９は、接続モードにおける無線基地局１の動作例を示すフローチャートである。図９に示すように、まず接続順序制御手段２０４は、接続の順番を示すカウント値Ｘを「１」に設定する（ステップＳ５００）。次に、接続順序制御手段２０４は、接続順序情報から、接続順が第Ｘ番目を示す順番情報に対応付けられた端末識別情報を読み出す（ステップＳ５０１）。次に、接続順序制御手段２０４は、ステップＳ５０１で読み出した端末識別情報（接続順が第Ｘ番目の無線端末を識別する端末識別情報）を含む報知信号を、各無線端末２へ一斉に送信する制御を行う（ステップＳ５０２）。次に、簡単接続制御手段２０３は、無線端末２からのプローブ要求の受信を待ち、プローブ要求を受信した場合（ステップＳ５０３：Ｙｅｓ）、その受信したプローブ要求に含まれる端末識別情報と、ステップＳ５０２で一斉送信した報知信号に含まれる端末識別情報とが一致するか否かを確認する（ステップＳ５０４）。プローブ要求に含まれる端末識別情報と、ステップＳ５０２で一斉送信した報知信号に含まれる端末識別情報とが一致し（ステップＳ５０４：Ｙｅｓ）、かつ、プローブ要求に含まれるネットワーク識別子と、無線基地局１が設定しているネットワーク識別子とが一致している場合は、簡単接続制御手段２０３は、プローブ要求に対する応答を示すプローブ応答を、プローブ要求に含まれる端末識別情報で識別される無線端末２へ送信する制御を行う。そして、簡単接続制御手段２０３は、プローブ応答を送信した無線端末２に対して、接続設定情報を送信する制御を行う（ステップＳ５０５）。
【００４２】
接続設定情報の送信に成功すれば（ステップＳ５０６：Ｙｅｓ）、処理はステップＳ５０８に移行し、接続設定情報の送信に成功しなければ（ステップＳ５０６：Ｎｏ）、処理はステップＳ５０７に移行する。ステップＳ５０７において、接続設定情報を送信する処理の開始から一定時間（例えば１２０秒など）が経過した場合（ステップＳ５０７：Ｙｅｓ）、処理は終了する。一定時間が経過していない場合（ステップＳ５０７：Ｎｏ）、ステップＳ５０５以降の処理が繰り返される。
【００４３】
ステップＳ５０８において、接続制御手段２０１は、無線接続処理を行う（ステップＳ５０９）。例えばＩＥＥＥ８０２．１１規格では、Authentication、Association、4-way handshake、Group  key  handshakeなどが含まれる。次に、接続制御手段２０１は、無線接続処理が成功したか否かを判断し（ステップＳ５０９）、成功した場合（ステップＳ５０９：Ｙｅｓ）、処理はステップＳ５１１に移行する。成功しなかった場合（ステップＳ５０９：Ｎｏ）、処理はステップＳ５１０に移行する。ステップＳ５１０において、無線接続処理の開始から一定期間（例えば１２０秒など）が経過した場合（ステップＳ５１０：Ｙｅｓ）、処理は終了する。一定時間が経過していない場合（ステップＳ５１０：Ｎｏ）、ステップＳ５０８以降の処理が繰り返される。
【００４４】
ステップＳ５１１において、接続順序制御手段２０４は、カウント値「Ｘ」が、接続の最後の順番を示す値に到達したか否かを確認する。最後の順番を示す値に到達した場合（ステップＳ５１１：Ｙｅｓ）、処理は終了する。最後の順番を示す値に到達していない場合（ステップＳ５１１：Ｎｏ）、接続順序制御手段２０４は、カウント値Ｘを「１」だけカウントアップし（ステップＳ５１２）、ステップＳ５０１以降の処理を繰り返す。
【００４５】
図１０は、接続モードにおける無線端末２の動作例を示すフローチャートである。図１０に示すように、簡単接続制御手段２１３は、無線基地局１から報知信号を受信した場合（ステップＳ６０１：Ｙｅｓ）、受信した報知信号に含まれている端末識別情報と、自装置の端末識別情報とを比較する（ステップＳ６０２）。報知信号に含まれている端末識別情報と、自装置の端末識別情報とが一致する場合（ステップＳ６０３：Ｙｅｓ）、簡単接続制御手段２１３は、無線基地局１にプローブ要求を送信する制御を行う（ステップＳ６０４）。次に、簡単接続制御手段２１３は、一定時間（例えば１０秒など）にわたって、無線基地局１からのプローブ応答の受信を待ち、プローブ応答を受信すれば（ステップＳ６０５：Ｙｅｓ）、ステップＳ６０７へ進み、プローブ応答を受信しなかった場合は（ステップＳ６０５：Ｎｏ）、ステップＳ６０６へ進む。
【００４６】
ステップＳ６０６において、簡単接続制御手段２１３は、プローブ要求の送信回数が一定回数（例えば３回など）に到達したか否かを判断し、一定回数に到達した場合（ステップＳ６０６：Ｙｅｓ）、処理は終了する。一方、一定回数に到達していない場合（ステップＳ６０６：Ｎｏ）、ステップＳ６０４以降の処理を繰り返す。
【００４７】
ステップＳ６０７において、簡単接続制御手段２１３は、無線基地局１から接続設定情報を受信する処理を行う。接続設定情報の受信に成功すれば（ステップＳ６０８：Ｙｅｓ）、ステップＳ６１０へ進み、成功しなかった場合は（ステップＳ６０８：Ｎｏ）、ステップＳ６０９へ進む。
【００４８】
ステップＳ６０９において、簡単接続制御手段２１３は、接続設定情報の受信の失敗回数が一定回数（例えば３回など）に到達したか否かを確認する。一定回数に到達した場合（ステップＳ６０９：Ｙｅｓ）、処理は終了する。一定回数に到達していない場合（ステップＳ６０９：Ｎｏ）、ステップＳ６０７以降の処理が繰り返される。
【００４９】
ステップＳ６１０において、接続制御手段２１１は、無線接続処理を行う。例えばＩＥＥＥ８０２．１１規格では、Authentication、Association、4-way handshake、Group  key  handshakeなどが含まれる。次に、接続制御手段２１１は、無線接続処理が成功したか否かを確認する（ステップＳ６１１）。無線接続処理が成功すれば（ステップＳ６１１：Ｙｅｓ）、処理は終了する。無線接続処理が成功しなかった場合（ステップＳ６１１：Ｎｏ）、ステップＳ６１２へ進む。
【００５０】
ステップＳ６１２において、接続制御手段２１１は、無線接続処理の失敗回数が一定回数（例えば３回など）に到達したか否かを確認する。一定回数に到達した場合（ステップＳ６１２：Ｙｅｓ）、処理は終了する。一定回数に到達していない場合（ステップＳ６１２：Ｎｏ）、ステップＳ６１０以降の処理が繰り返される。
【００５１】
以上に説明したように、本実施形態では、無線基地局１は、上述の接続順序情報に従って、接続対象の無線端末２の端末識別情報を含む報知信号を各無線端末へ一斉に送信し、各無線端末２は、無線基地局１から受信した報知信号に含まれる端末識別情報が、自装置を識別する端末識別情報と一致する場合、無線基地局１と接続するための処理を実行する一方、報知信号に含まれる端末識別情報が、自装置を識別する前記端末識別情報と一致しない場合は、無線基地局１と接続するための処理を実行しない。これにより、接続処理の競合を発生させずに、複数の無線端末２の各々と無線基地局１とを自動的に接続することが可能になる。
【００５２】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、実施形態に示される構成要素を適宜組み合わせてもよい。
【符号の説明】
【００５３】
１      無線基地局
２      無線端末
２０１  接続制御手段
２０２  信号送受信手段
２０３  簡単接続制御手段
２０４  接続順序制御手段
２０５  接続順序情報保持手段
２０６  接続順序情報入力手段
２１１  接続制御手段
２１２  信号送受信手段
２１３  簡単接続制御手段
【先行技術文献】
【特許文献】
【００５４】
【特許文献１】特開２０１１−１７２２７８号公報
【図１】
2015106727.tif 000003
【図２】
2015106727.tif 000004
【図３】
2015106727.tif 000005
【図４】
2015106727.tif 000006
【図５】
2015106727.tif 000007
【図６】
2015106727.tif 000008
【図７】
2015106727.tif 000009
【図８】
2015106727.tif 000010
【図９】
2015106727.tif 000011
【図１０】
2015106727.tif 000012